(57)【要約】      （修正有）【課題】サイズが小さく、コストが低く、高いフレキシビリティの度合と最適な処理品質を確実にする浸漬処理プラントの提供。【解決手段】車体１２を浸漬処理するためのプラント１０は、スキッド１１と処理液タンク１５とスキッドを搬送するコンベヤライン１３によってスキッド上の車体を反転させタンク内に浸漬するための手段とを備える。スキッドは、ベース部分１６と、軸１８を含むシャフトによって回転可能な車体を支持するための部分１７、シャフトに連結される歯状ホイール２３をさらに備え、タンクのそばには、回転作動デバイス３２を備える。回転作動デバイスは、スキッドの支持部分を回転させるように歯状ホイールに係合するラック３３を備え、このラックと歯状ホイールとの係合により、コンベヤラインのラックのある領域のセクションに沿ってスキッドが動くとスキッド支持部分の回転が作動される車体浸漬プラントを提供する。【選択図】図１
2020142238.tif 000002
【特許請求の範囲】
【請求項１】
処理されるべき車体（１２）を支持することを目的とする少なくとも１つのスキッド（１１）と、
少なくとも１つの処理液タンク（１５）と、
前記タンクの上に前記スキッドを搬送するためのコンベヤライン（１３）と、
前記コンベヤライン（１３）によって前記タンク（１５）の上に配置される前記スキッド（１１）上の前記車体（１２）を反転させ、前記タンク内に浸漬するための手段とを備える、車体の浸漬処理のためのプラント（１０）において、
前記スキッド（１１）は、前記コンベヤラインに沿った支持および運動のためのベース部分（１６）と、前記車体を支持するための支持部分（１７）とを備え、前記支持部分（１７）は、前記コンベヤライン上における前記スキッドの動きの方向を横切るように配置され前記支持部分（１７）が第１の上側位置と前記タンク内における前記車体の浸漬のための第２の位置との間で回転できるようにする軸（１８）を含む回転可能シャフト（１９）を介して、前記ベース部分（１６）上に回転可能に支持され、前記スキッド（１１）は、制御された回転のために前記シャフト（１９）に運動学的に連結される歯状ホイール（２３）をさらに備え、前記タンクのそばには、少なくとも１つの回転作動デバイス（３２）がもたらされ、前記少なくとも１つの回転作動デバイス（３２）は、前記歯状ホイール（２３）に係合することを目的とするラック（３３）を備え、このラックと前記歯状ホイールとの係合により、前記コンベヤラインのラックのある領域のセクションに沿って前記スキッドが動くと前記スキッド支持部分（１７）の回転が作動されるようにされており、モータ付き手段（３５）が、前記コンベヤライン（１３）の、前記歯状ホイール（２３）が前記ラック（３３）に係合するセクションに沿う、前記コンベヤラインに沿った前記スキッドの追加の駆動のためにもたらされていることを特徴とするプラント（１０）。
【請求項２】
前記スキッドは、前記シャフト（１９）の自由回転をロック／ロック解除するための制御可能なロック／ロック解除デバイス（２７）を備えることを特徴とする請求項１に記載のプラント。
【請求項３】
前記ロック／ロック解除デバイスは、その作動シュー（３１）と前記タンクのそばにある少なくとも１つの作動面（３３、３７）との間の干渉によって、ロック解除位置に設定されることを特徴とする請求項２に記載のプラント。
【請求項４】
前記制御可能なロック／ロック解除デバイス（２７）は、前記スキッド上に枢動可能に取り付けられるフレーム（２８）を備え、前記フレーム（２８）は、前記歯状ホイール（２３）をロックするための係合要素（３０）と、それが前記歯状ホイールに係合される第１の静止位置と前記歯状ホイールから係合解除される第２の位置との間で前記係合要素を変位させるための前記作動シュー（３１）とを備えることを特徴とする請求項３に記載のプラント。
【請求項５】
前記フレームにおける、係合要素（３０）、シュー（３１）および枢動システムの相対位置は、前記シュー（３１）の上昇が前記係合要素（３０）を前記係合解除位置に変位させるような位置であることを特徴とする請求項４に記載のプラント。
【請求項６】
前記ラック（３３）は、一連のローラによって構成され、前記歯状ホイール（２３）は、前記一連のローラのローラ間において、その間に係合するようなローブ形ホイールであることを特徴とする請求項１に記載のプラント。
【請求項７】
前記回転作動デバイス（３２）は、前記歯状ホイールとの係合を目的とする動作位置と、前記ラックに沿って前記スキッドが動く間、前記歯状ホイールに干渉しない静止位置との間で制御可能に動くことができることを特徴とする請求項１に記載のプラント。
【請求項８】
前記タンクのそばの前記作動面は、前記回転作動デバイス（３２）に関連することを特徴とする請求項３に記載のプラント。
【請求項９】
前記タンクのそばの前記作動面（３７）は、面（３７）とシューとの間の干渉を目的とする動作位置と、前記面（３７）に沿って前記スキッドが動く間、面（３７）とシューとの間の干渉がない静止位置との間で制御可能に動くことができる回転ロック解除デバイス（３６）によって構成されることを特徴とする請求項３に記載のプラント。
【請求項１０】
前記回転可能シャフト（１９）は、前記タンクのそばに配置される少なくとも１つの案内チャネル（４１）に挿入されて前記スキッドの動きにより摺動することを目的とする、前記シャフトの回転のためのキャリッジ（４２）を支持し、前記案内チャネル（４１）は、前記チャネル内で前記キャリッジが移動するように動く間に前記シャフト（１９）の枢動回転を生成するように構成されることを特徴とする請求項１に記載のプラント。
【請求項１１】
前記案内チャネル（４１）は、それが前記キャリッジ（４２）を受容することができる動作位置と、前記キャリッジが、前記チャネルに干渉せずに前記タンクに沿って通過することができる、非動作位置との間で、動くことができることを特徴とする請求項１０に記載のプラント。
【請求項１２】
前記タンクのそばの少なくとも１つの作動面（３７）は、前記案内チャネル（４１）に関連することを特徴とする請求項３または１０に記載のプラント。
【請求項１３】
前記コンベヤライン（１３）は、前記タンクの両側に配置される、有利にはローラタイプの、平行な移動路を備え、前記スキッドは、前記ベース部分の２つの対応する両側部分に、前記平行な移動路に載り前記タンクの上において前記スキッドを支持して動かすためのランナ（１４）を備えることを特徴とする請求項１に記載のプラント。
【請求項１４】
前記スキッドは、平面視で全体的にＨ字形のベース部分を有し、前記Ｈ字形の両側部分は、前記コンベヤライン（１３）上に載るための横方向要素（１４）を形成し、前記Ｈ字形の横材は、回転可能シャフト（１９）を備え、そこからＶ字形要素が前記車体のための前記支持部分の少なくとも一部を形成することを特徴とする請求項１に記載のプラント。
【請求項１５】
前記モータ付き手段（３５）は、前記コンベヤライン（１３）の、前記キャリッジ（４２）が前記案内チャネル（４１）内で移動するセクションに沿う、前記コンベヤラインに沿った前記スキッドの追加の駆動のためにもたらされることを特徴とする請求項１０に記載のプラント。
【発明の詳細な説明】
【技術分野】
【０００１】
本発明は、車体構造、具体的には、自動車などの車体構造の浸漬処理のためのプラントに関する。
【背景技術】
【０００２】
当技術分野において、例えば防食前処理および電気泳動前処理の実施のために、車体の浸漬処理のためのシステムが知られている。
【０００３】
これらのプラントは、一般的に、処理液を収容する１または複数のタンクと、特別なスライドまたはスキッド上に取り付けられた車体をプラントに沿ってタンクの上に動かすコンベヤとを有する。浸漬システムは、タンクに対向して設けられ、例えば車体を反転させてタンクに入れることができる。
【０００４】
例えば、反転させる動作のために、車体は、それをコンベヤスキッドから上昇させる特別な手段によって持ち上げられる、またはスキッド自体がモータ付き回転シャフトを有することができる。
【発明の概要】
【発明が解決しようとする課題】
【０００５】
しばしば、既知の浸漬システムは、複雑であり、コストが高く、大きく、頻繁なメンテナンスを必要とする。
【０００６】
さらに、浸漬処理の最終品質は、処理されるべき部分の浸漬方法に大きく依存する。例えば、浸漬の間に気泡が閉じ込められたままになるのを防ぐ必要があり、または、その一方で、再度浸漬を行った後、液体の貯留の形成を防ぐ必要がある。満足のいく結果に達することが難しいことにより、結果的に、既知のデバイスはさらに複雑にされることになる。というのも、それらは、例えば液中の期間および浮上（emersion）の期間における浸漬運動のための高性能の制御システムを備えるからである。既知の技術は、例えば、浸漬システムが実装されているスキッドを提案しており、それは、比較的複雑な運動学的構造、およびスキッドに電気モータが必要であり、したがってスキッドのコストを著しく増加させる。ラインに沿って各車体がスキッドによって支持されることを考えると、プラント全体のコストはたちまち非常に高い価格に達する。この問題を克服するために、やはりまた、関連した浸漬システムがないスキッドとあわせて、タンクの近くの床に固定される運動システムが提案されている。床に固定される運動システムは、車体をスキッドから取り外す、または車体にスキッドを係合させ、それをタンク内へと動かし、次いで、ラインに沿ったコンベヤシステムに車体またはスキッド全体を戻して置く。しかしながら、このように設計される浸漬システムは、比較的複雑であり、正確かつ信頼性の高い運転を確実にするためには、高性能の電子管理システムを必要とする。しかしながら、これは、やはりまたコストとプラント全体の複雑さをさらに増加させ、いずれの場合にも、信頼性について悪影響を与えることがある。
【０００７】
本発明の全体的な目的は、サイズが小さく、コストが低く、高いフレキシビリティの度合と最適な処理品質を確実にする浸漬処理プラントを提供することである。
【課題を解決するための手段】
【０００８】
この目的を考慮して思い浮かんだアイデアは、本発明に従って、車体の浸漬処理のためのプラントであって、処理されるべき車体を支持することを目的とする少なくとも１つのスキッドと、少なくとも１つの処理液タンクと、タンクの上においてスキッドを搬送する
ためのコンベヤラインと、このコンベヤラインによってタンクの上に配置されるスキッド
上の車体を反転させ、タンク内に浸漬するための手段とを備える、プラントを提供することである。プラントは、スキッドが、コンベヤラインに沿った支持および運動のためのベース部分と、車体を支持するための部分とを備え、支持部分が、コンベヤライン上におけるスキッドの動きの方向を横切るように配置されて支持部分を第１の上側位置とタンク内における車体の浸漬のための第２の位置との間で回転できるようにする軸を含む回転可能シャフトを介して、ベース部分上に回転可能に支持され、スキッドが、制御されたその回転のためにシャフトに運動学的に連結される歯状ホイールをさらに備え、タンクのそばには、少なくとも１つの回転作動デバイスがもたらされ、この少なくとも１つの回転作動デバイスは、コンベヤラインのラックがある領域のセクションに沿ってスキッドが動くとスキッド支持部分の回転が作動させられるように前記歯状ホイールに係合することを目的とするラックを備えることを特徴とする。
【０００９】
好ましくは、スキッドは、有利にはその作動シューとタンクのそばにある少なくとも１つの作動面との間の干渉によってロック解除位置に設定される、シャフトの自由回転をロック／ロック解除するための制御可能デバイスを備える。
【図面の簡単な説明】
【００１０】
【図１】本発明に従って設計されたプラントの処理ステーションの概略側面図である。
【図２】異なる動作状態にある、図１によるステーションの概略平面図である。
【図３】本発明によるプラントのスキッドの詳細を拡大して示す概略図である。
【図４】本発明によるプラントに沿った、２つの異なる動作段階のうちの片方の段階の図である。
【図５】本発明によるプラントに沿った、２つの異なる動作段階のうちのもう片方の段階の図である。
【図６】本発明に従って設計されたプラントの処理ステーションの可能な変形形態の概略側面図である。
【図７】異なる動作段階の間の、図６の変形形態の、反対側からの概略側面図である。
【図８】図７の線ＶＩＩＩ−ＶＩＩＩに沿った部分概略図である。
【図９】先の図面に示されるプラント部材を含む、本発明によるプラントセクションの概略平面図である。
【発明を実施するための形態】
【００１１】
本発明の革新的な原理および従来技術と比較した場合のその利点をより明確に示すために、これらの原理を適用した実施形態の一例について、添付の図面を活用して以下に述べる。
【００１２】
図面を参照すると、図１は、本発明に従って設計された、全体的に１０で示される、車体の浸漬処理のためのプラントセクションまたはステーションの第１の例を概略的に示している。
【００１３】
プラント１０は、処理されるべき車体１２を支持することを目的とする少なくとも１つのスキッド１１を備える。一般的に、スキッドは、複数からなり、プラントに沿って循環し、各スキッドは、処理されるべき対応する車体と共にある。
【００１４】
プラントは、プラントに沿って、タンクの上にスキッドを順次的に搬送するためのコンベヤライン１３をさらに備える。コンベヤラインは、タンクの両側に平行に配置される移動路を備えることができる。コンベヤラインは、例えば、その上にスキッドが載り順次的に移動する一連のモータローラを備えることができる。
【００１５】
図２に見られるように、スキッドは、例えば両側の移動路上かつプラントのタンクの両側部の外側に２つの平行する列として配置される、モータローラを備えるコンベヤライン１３に載る横方向要素または横方向ランナ１４を備えることができる。
【００１６】
コンベヤラインのモータロータはすべて、当業者なら簡単に想像することができるような、例えばチェーンシステムによって、単一のモータに連結され得る。
【００１７】
コンベヤシステムの異なるセクションでは、スキッドの非同時性の搬送を得るために、別々にモータが付けられ、したがって、様々なセクションに沿った様々な速度での移動および／または停止が可能である。
【００１８】
プラント１０は、さらに、例えば防食前処理および電気泳動前処理のために車体が中に浸漬される少なくとも１つの既知の処理液タンク１５を備える。以下においては１つのタンクを参照するが、当業者には明らかであるように、タンクは、やはりまた必要な処理の数およびタイプに応じて、プラントに沿って複数から構成されてよいと理解されよう。
【００１９】
スキッドは、有利には、コンベヤラインに沿って移動するベース部分１６と、ベース部分によって支持される回転可能シャフト１９の横軸１８周りに回転可能である車体を支持する部分１７とを備える。
【００２０】
有利には、やはり図２において明確に見えるように、スキッドのベースフレームは、平面視でＨ字形であってよく、Ｈ字形の両側部分は、要素またはランナ１４によって構成され、中央の横材は、これらの要素またはランナ１４を互いに連結するとともに、回転可能シャフト１９およびフレームへの取り付けのためのその関連要素２０を備えるまたはそれらによって構成される。特に、この形状は、軸１８周りの車体の回転を容易にする。
【００２１】
有利には、フレームは、ランナがタンクの外側に置かれるような横寸法を有する。
【００２２】
図１において明確に見られるように、スキッドの支持部分すなわち上側部分は、支持要素を備えることができる。支持要素は、有利にはＶ字形であり、回転可能シャフトから延在し、図１に示される通常搬送位置では上方に向けられ、既知の固定手段を用いて車体を所定位置に支持およびロックし、必要なら、間に配置される支持面２１を含む。スキッド１１は、さらに、車体を、図１に示されるような通常搬送位置から、図４に示される反転した浸漬位置にさせるように、シャフト１９によって動作される回転機構２２を備える。
【００２３】
回転機構２２は、適宜、例えば歯車２４、２５、２６のチェーンであって最初のものが作動ホイール２３にしっかりと連結され最後のものがシャフト１９にしっかりと連結される歯車のチェーンによって構成される、（以下において明らかになるような）適当なギヤ比のトランスミッションを介してシャフト１９に運動学的に連結される歯状作動ホイール２３を備える。
【００２４】
有利には、ホイール２３とシャフト１９との間の伝動は、ホイール２３およびシャフト１９が、同じ方向に、好ましくは回転数が減少するかたちで、回転するようになされる。
【００２５】
再び図１および図２を考慮すると、プラントは、さらに、回転作動デバイス３２を備える。回転作動デバイス３２は、プラントに沿った、スキッドの軸１８周りにおける車体の制御された回転の実施が必要とされる各位置において、タンクのそばに配置される。
【００２６】
図１および図２に明確に見られるように、デバイス３２は、コンベヤライン１３上においてスキッドが動く方向に沿って配置されるラック３３を備える。ラック３３は、コンベヤラインに沿ってスキッドが動くことによってホイールがラックに沿って移動するときにホイールを回転的に作動させるために、歯状ホイール２３に係合するのに適した形状を有する。
【００２７】
さらに、スキッドは、有利には、シャフト１９の自由回転をロック／ロック解除するためのデバイス２７を支持する。具体的には、図３においてさらに明確に見られるように、このデバイスは、好ましくは、作動ホイール２３と相互に作用し、好ましくは、２９でスキッドに枢動可能に取り付けられ係合要素３０と作動シュー３１とを備えるフレーム２８によって構成される。静止状態では、係合要素３０は、ホイール２３に係合する。フレームにおける係合要素３０、シュー３１および枢動機構の相対位置は、シューの上昇によって係合要素が係合解除位置に変位されるような位置にされる。
【００２８】
有利には、（図３において破線で示される）静止位置では、フレームの重量により、係合要素３０は、ホイール２３に係合し、それをロックする。ロック動作は、（以下においてより明らかになるように）シュー３１が上昇されるとフレームが枢動ピン周りに変位され、係合要素３０がホイール２３から（図３において実線で示されるように）係合解除されることによって、非作動化される。一般的に、以下から明らかになるように、シューは、タンクのそばの作動面によって動かされる。具体的には、作動面は、スキッドの回転を作動させるためのデバイス３２に関連する。
【００２９】
有利には、図面に示されるように、ラックは、ローララックであってよく、ホイール２３は、ローラ間のそのローブに順次的に係合するようにそれに対応するようにローブ形（lobed）にされたホイールであってよい。それによって、安全で信頼性が高く比較的静かな係合が確実にされる。
【００３０】
さらに、ローラは、シュー３１を上昇位置へと作動させる前述した面を形成することができる。あるいは、独立したシューを作動させる面が、ラックに平行にそのそばに設けられてもよい。
【００３１】
有利には、ラックは、例えば、ねじ調節システム３４を用いて、その長手方向延長部に沿って、位置に関して調節可能であってよい。
【００３２】
さらに、有利には、作動デバイス３２は、図１に実線で示される、ホイール２３に係合される上昇すなわち動作位置と、ホイールがそれに係合することなくラックに沿って通過することができる（破線で図示される）下降すなわち非動作位置との間で制御可能に動くことができる。この動きは、例えば、モータ３８によって作動されるヒンジ連結された平行四辺形機構を用いて実行され得る。
【００３３】
何らかの理由で、タンクの上でスキッドをその回転を実行せずに搬送することが必要な場合、作動デバイスをその非動作位置の方に動かせば十分である。例えば、これは、いくつかのタンク内で処理しなければならない車体がある場合、および同じコンベヤラインに沿って他のタンク内で処理しなければならない車体がある場合に有用である。
【００３４】
図４に見られるように、ラインに沿って搬送する通常状態では、シュー３１との干渉はなく、スキッドは、普通の剛性スキッドのように、前進し、上側位置で車体を搬送することができる。
【００３５】
図５に明確に見られるように、スキッドが作動デバイス３２に達すると、スキッドロック／解放デバイスが作動され、車体の回転を引き起こすために、ホイールとラックが係合されると同時にシャフトが自由に回転するようになる。
【００３６】
ホイールの解放およびラックの係合は、有利には、同時に起こるように同期され、したがって、シャフト１９は、まったく空回りせず、それによって、制御されない回転が回避され、その一方で、ジャミング（jamming）が起こらないことが確実になる。ラックの位置は、この目的のために調節することができる。
【００３７】
ラックの長さは、シャフトの半回転、一回転、または望まれる任意の角度の回転を生成するように確立されてよい。
【００３８】
具体的には、長いタンクのはじまりのところには、車体を完全に反転させそれをタンク内に完全に浸漬させるように、シャフトの半回転を生成するような長さを有するラックが設けられ得る。そして、スキッドは、車体が浸漬されている状態で、タンクに沿って前進することができる。
【００３９】
タンクの終わりのところには、第２のラックが設けられ得る。このラックは、車体を通常の前方に搬送される位置へと完全に上昇させるように、シャフトの別の半回転を生成するような長さを有する。
【００４０】
あるいは、例えば短いタンクの場合、単一のラックが、スキッドが前進するように動かされる間に車体を一回転させるような長さに設計されてもよい。
【００４１】
必要なら、スキッドは、さらに、車体が完全に浸漬されたときに、それを特定の処理に必要な継続期間全体の間、液中に浸漬したままにするように、止められてもよい。
【００４２】
適当なより長いラックまたはいくつかのラックを順々に用いて、車体に何回かの浸漬および浮上のための回転を実施する、または、例えば気泡の排除を可能にするように浸漬されている車体を傾けたままにするために、部分的な反転動作だけを引き起こすことも考えられる。
【００４３】
有利には、追加のモータ付き駆動手段３５（例えば、モータ付き駆動ローラ）がもたらされてよく、それらは、ラックがホイールに係合されるとき、車体の回転のための力の間、追加の駆動力を生成するように、スキッドに係合するように配置される。例えば、モータローラ３５は、適当な上側面に構成されるように、スキッドのランナ１４のうちの一方の上面に載るように配置され得る。ローラ３５は、有利には、ラック側のランナに載ることができ、それによって、作動ホイール上にラックによって与えられる車体の回転のための力によりランナが上昇される可能性が回避される。
【００４４】
この点において、単に、コンベヤラインおよび任意の駆動ローラ３５を適当に作動させることによって、予め定めたやはりまた複雑な動きの範囲および速度で車体を反転させることができることが明確である。
【００４５】
図６は、本発明によるプラントの可能な変形形態を示しており、（有利には、作動デバイス３２の下流の、タンクに沿った位置に）シャフト１９の回転をロック解除するが回転ホイール２３に係合しないデバイス３６が設けられる。
【００４６】
好ましくは、このデバイスは、作動デバイス３６の構造に似た構造に構成されるが、ラックは、回転をロック解除するためにデバイス２７を作動させるように構成される作動面３７によって取って代わられる。具体的には、面３７は、上方に傾けられたはじめのセクションと、水平中央セクションと、シュー３１をロック解除位置へと動かすように下方に傾けられた終わりのセクションとを含むことができる。
【００４７】
デバイス３６は、さらに、有利には、（図６に示される）動作位置と、シュー３１に干渉しない非動作位置との間で動くように、制御された垂直運動を行うことができる。このように、解放が必要とされないとき（例えば、タンクの上を通過するだけでよいスキッドの場合）、デバイスをその非動作位置に変位させれば十分である。明らかなように、安全上の理由から、デバイス３６は、車体が、この場合、吊り下げられるように、車体がすでに完全に反転された位置にあるときだけ解放を行うべきであり、しかし、さらなる制御されない下方への回転を生成することはできない。
【００４８】
有利には、車体の制御された枢動のためのデバイスが、回転ロック解除デバイス３６と組み合わせられ得る。
【００４９】
図７および図８は、全体的に４０で示されるそのようなデバイスの有利な一実施形態を示している。
【００５０】
デバイス４０は、好ましくは、ロック解除デバイス３６が配置される側の反対側に、タンクの側に配置され、案内および枢動チャネル４１を備える。案内および枢動チャネル４１は、タンクに沿って配置され、内部にシャフト１９にしっかりと連結されるキャリッジ４２が入れられ、移動する。
【００５１】
好ましくは、キャリッジ４２は、シャフトの好都合な回転アームをもたらすように、チャネル４１の向かい合う両壁に沿って移動しシャフト１９の軸に対して偏心して配置されるホイール４３を有する。チャネルは、タンクに沿ったスキッドの変位のとき、キャリッジ４２がシャフトの対応する枢動回転を引き起こし、それにより車体の枢動運動を引き起こすように、タンクに沿って望ましいように曲がって進むように構成される。
【００５２】
明らかなように、チャネルの長さおよび位置は、キャリッジ４２の枢動運動が、シャフト１９がロック解除された状態で行われるように、ロック解除デバイス３６の面３７の少なくとも中央セクションと一致しなければならない。
【００５３】
枢動運動に、コンベヤライン１３によってスキッドに伝えられ得るよりも大きな推力が必要とされる場合、スキッドを動かし車体を枢動させるために、追加の駆動手段３５（例えば、モータ付き駆動ローラ）がセクションに沿ってもたらされてもよい。
【００５４】
図８の断面図に見られるように、有利には、（例えば、Ｃ字形の）案内チャネル４１は、それがキャリッジ４２を受容することができる動作位置と、キャリッジがチャネルに干渉せずに通過することができる非動作位置との間で動くことができる。例えば、この動きのため、案内チャネルは、反転フレーム５０上に取り付けられ得る。反転フレーム５０は、作動システム５２によって軸５１周りに傾けられ得る。これにより、反転フレーム５０は、（実線で図示される）動作位置と（破線で図示される）非動作位置との間で配置される。
【００５５】
通過する車体を枢動させる必要がない場合、チャネルは、このように非動作位置に変位され得る。これは、例えば、対応するロック解除デバイス３６が非動作位置にあるときに必要である。
【００５６】
この点において、当業者には、非常に簡単かつフレキシブルに、ラインに沿って車体を望み通りに進行させるために、本発明によるプラントの様々な部材を組み合わせることができることが明らかであろう。
【００５７】
図９は、本発明によるプラント１０の可能な構成の一例を概略的に示している。
【００５８】
この実施形態では、第１の回転作動デバイス３２、関連する制御された枢動デバイス４０を含む第２のロック解除デバイス３６、および第２の回転作動デバイス３２が、長いタンク１５に沿って適当な距離に順次的に配置される。
【００５９】
このように、スキッド１１は、タンクに達すると、第１のデバイス３２によって制御され、それによって車体が反転されてタンクに入り処理液に浸漬され、次いで、車体は、枢動デバイス４１の案内４１によって予め定めた経路に沿って枢動され、最後に、第２のデバイス３２によってその通常搬送位置へと戻るように上昇され、プラントに沿ったその動きが継続される。
【００６０】
この点において、予め定めた目的が達成されることが明確である。
【００６１】
図面から、処理タンクは、処理されるべき車体の寸法よりもわずかに大きければよく、横方向には、タンクの壁と車体の側壁との間に小さな遊びだけしか必要なく、前後には、車体を反転させる運動、および、必要なら車体が浸漬された状態での変位運動を可能にする空間だけがあることが明確に見える。したがって、処理液の量は最低限であってよい（例えば、大抵の従来のシステムと比較して約１５％減少される）。さらに、本発明によるプラントは、例えば車体浸漬アームおよび／またはエレベータを含むプラントと比較すると、約２５％に等しい幅に関する大きさ（widthwise volume）の減少を可能にする。
【００６２】
スキッドは、あらゆる意味で、搬送手段および車体を反転させる手段の両方を構成するので、従来技術で使用される典型的なスキッドおよび典型的な移送キャリッジの両方が省かれる。
【００６３】
スキッドは、機械的な部材だけで設計することができる（例えば、電気デバイスまたは電子デバイスを必要としない）ので、事前処理および電気泳動プラントにおいてだけでなく、それに続く乾燥および重合炉（polymerization oven）においても車体の移送に使用することができる。
【００６４】
さらに、コンベヤおよび反転させるシステムは、全体的に、タンクの垂直面の外側にあるので、処理液との接触から簡単に保護することができる。
【００６５】
コンベヤシステムは、タンクの垂直面の内側に位置しないので、プラント伝いに移送される、または可動部品の摩耗によりコンベヤシステムから落下することがある任意の不純物によって引き起こされる液体のあらゆる汚染を回避することが可能である。
【００６６】
システムは、さらに、非常に単純であり、製造およびメンテナンスにかかるコストが低い、少ない可動部品しか有さない。
【００６７】
明らかなように、本発明の革新的な原理を適用する一実施形態の上述の説明は、これらの革新的な原理の一例としてもたらされ、したがって、本明細書において請求する権利の範囲を限定するとみなされるべきではない。
【００６８】
例えば、特に処理タンクと同一のところではないセクションに沿ったスキッド移送システムは、任意の異なる既知のタイプのものであってもよい。さらに、複雑かつ／または連続する処理タンク内での車体の浸漬をともなう処理を実施するために、様々な実施形態および記載のデバイスを、任意の数、互いに組み合わせることができることが簡単に想像される。
【００６９】
コンベヤラインは、スキッドが上に載ってそこを移動する、モータローラとは異なるシステムにより設計されてもよい。例えば、当業者には簡単に想像できるように、リニアモータまたは摩擦ローラなどの他のシステムを使用することもできる。スキッドとコンベヤラインとの間の係合が、反転させる動作のための駆動力を十分に伝えることができる場合（例えば適当な強力なチェーンコンベヤシステムが使用される場合）、モータローラ３５は、より簡単には、省かれてもよい。
【図１】
2020142238.tif 000003
【図２】
2020142238.tif 000004
【図３】
2020142238.tif 000005
【図４】
2020142238.tif 000006
【図５】
2020142238.tif 000007
【図６】
2020142238.tif 000008
【図７】
2020142238.tif 000009
【図８】
2020142238.tif 000010
【図９】
2020142238.tif 000011